(57)【要約】【課題】  視覚的に違和感なく画面の焼き付きを防止しながら、映像がぼけてしまうことを防止する。【解決手段】  映像の表示位置を移動させて焼き付きを防止させる際に、映像の各画素における表示レベルをその隣接画素における表示レベルへと複数ステップをかけて変化させることにより、１ステップでの映像の移動量が見た目では１画素未満となるよう移動させる。しかも、映像を１画素分移動させる過程での各画素の表示レベルの変化量をＸとし、該過程で、各画素における表示レベルが移動前のレベルから（Ｘ／３）だけ変化するまでの第１表示期間の長さをＴ１、第１表示期間の終わりから（Ｘ／３）だけ変化するまでの第２表示期間の長さをＴ２、第２表示期間の終わりから（Ｘ／３）だけ変化して移動後のレベルとなるまでの第３表示期間の長さをＴ３とすると、Ｔ１＞Ｔ２、且つ、Ｔ２＜Ｔ３となるように映像の表示位置を移動させる。これにより、映像がぼけるのを防止する。【選択図】    図４
2007034222.tif 000002
【特許請求の範囲】
【請求項１】
映像の表示位置を移動させることにより画面の焼き付きを防止させる映像表示制御装置において、
映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、
映像を１画素分移動させることによる各画素の表示レベルの変化量をＸとし、
映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、
前記映像移動制御手段は、Ｔ１とＴ３のうちの少なくとも何れか一方がＴ２よりも長くなるように、映像の表示位置を移動させることを特徴とする映像表示制御装置。
【請求項２】
映像の表示位置を移動させることにより画面の焼き付きを防止させる映像表示制御装置において、
映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、
前記映像移動制御手段は、
映像を構成する各画素とそれらの周辺画素とを合成する合成手段と、
前記合成手段による合成比率を徐々に変化させる合成比率変化手段と、
を備え、
映像を１画素分移動させるのに要する時間をＴとし、
映像を１画素分移動させる過程で、各画素における表示レベルが移動前のレベルである時点から（Ｔ／３）だけ時間が経過するまでを第１表示期間、前記第１表示期間の終わりから（Ｔ／３）だけ時間が経過するまでを第２表示期間、前記第２表示期間の終わりから（Ｔ／３）だけ時間が経過して各画素における表示レベルが移動後のレベルとなるまでを第３表示期間とすると、
前記第１表示期間と前記第３表示期間のうちの少なくとも何れか一方の期間における前記合成比率の変化割合は前記第２表示期間における前記合成比率の変化割合よりも小さいことを特徴とする映像表示制御装置。
【請求項３】
前記映像移動制御手段は、
映像を１画素分移動させる過程に含まれる前記複数ステップにおける各ステップの時間の長さを徐々に変化させるステップ長変化手段を備え、
前記第１表示期間と前記第３表示期間のうちの少なくとも何れか一方の期間における前記ステップの時間の長さは前記第２表示期間における前記ステップの時間の長さよりも長いことを特徴とする請求項１に記載の映像表示制御装置。
【請求項４】
前記映像移動制御手段は、
映像を１画素分移動させる過程に含まれる前記複数ステップにおける各ステップでの映像の見た目の移動量を徐々に変化させる移動量変化手段を備え、
前記第１表示期間と前記第３表示期間のうちの少なくとも何れか一方の期間における前記ステップでの映像の見た目の移動量は前記第２表示期間における前記ステップでの映像の見た目の移動量よりも短いことを特徴とする請求項２に記載の映像表示制御装置。
【請求項５】
映像の表示位置を移動させることにより画面の焼き付きを防止させる映像表示制御装置において、
映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、
映像を１画素分移動させる過程において、移動前の時点での前記映像の見た目の平均移動速度は、前記映像が半画素分移動した時点での平均移動速度と異なることを特徴とする映像表示制御装置。
【請求項６】
映像を１画素分移動させる過程において、移動前の時点での前記映像の見た目の平均移動速度は、前記映像が半画素分移動した時点での平均移動速度よりも遅いことを特徴とする請求項５に記載の映像表示制御装置。
【請求項７】
前記映像移動制御手段は、映像の水平方向への移動と垂直方向への移動とを別の時間に行うことを特徴とする請求項１乃至６の何れか一項に記載の映像表示制御装置。
【請求項８】
映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、
映像を１画素分移動させることによる各画素の表示レベルの変化量をＸとすると、
映像を１画素分移動させる過程は、各画素における表示レベルが移動前のレベルから（Ｘ／３）だけ変化するまでの第１の工程と、各画素における表示レベルが前記第１の工程の終わりから（Ｘ／３）だけ変化するまでの第２の工程と、各画素における表示レベルが前記第２の工程の終わりから（Ｘ／３）だけ変化して移動後のレベルとなるまでの第３の工程とを有し、
前記第１の工程と前記第３の工程とのうち少なくとも一方の工程の長さは前記第２の工程の長さよりも長いことを特徴とする映像表示制御方法。
【請求項９】
映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、
映像を１画素分移動させるのに要する時間をＴとすると、
映像を１画素分移動させる過程は、各画素における表示レベルが移動前のレベルである時点から（Ｔ／３）だけ時間が経過するまでの第１の工程と、前記第１の工程の終わりから（Ｔ／３）だけ時間が経過するまでの第２の工程と、前記第２の工程の終わりから（Ｔ／３）だけ時間が経過して各画素における表示レベルが移動後のレベルとなるまでの第３の工程とを有し、
前記第１の工程における各画素の見た目の移動量と、前記第３の工程における各画素の見た目の移動量と、のうちの少なくとも何れか一方の移動量は、前記第２の工程における各画素の見た目の移動量よりも短いことを特徴とする映像表示制御方法。
【請求項１０】
請求項８又は９に記載の映像表示制御方法をコンピュータに実行させるためのプログラム。
【請求項１１】
請求項１乃至７の何れか一項に記載の映像表示制御装置を備える表示装置。
【発明の詳細な説明】
【技術分野】
【０００１】
本発明は、映像表示制御装置、映像表示制御方法、そのプログラム、及び、映像表示制御装置を備える表示装置に関する。
【背景技術】
【０００２】
近年、大型ディスプレイの普及に伴い、テレビ画面などの動画表示以外の用途にも表示装置が用いられている。
【０００３】
例えば、大画面を活かして店頭広告用ディスプレイとして、或いは、駅やサービスエリアでのインフォメーション用ディスプレイなどとして一定時間静止画を表示させるような使い方も多く見られるようになった。
【０００４】
プラズマディスプレイパネル（ＰＤＰ）やＣＲＴなどの表示装置は、このように一定時間映像を表示すると、焼き付きの現象が発生することが知られている。
【０００５】
画面の焼き付きは、映像に輝度差がある表示領域において、発光材質の劣化の程度に差が生じることに起因する。
【０００６】
表示装置の様々な用途に対応するためには、焼き付きの現象を防止する必要があり、それについて様々な対策が提案されている。
【０００７】
表示装置における焼き付きを防止する代表的な手段として、スクリーンセーバーを用いる方法が知られているが、表示内容が変わってしまうためインフォメーション用ディスプレイには適さない。
【０００８】
そこで、表示画面を変えずに焼き付きを防止する手段として一般的に用いられているのが、映像の表示位置を画素単位で周期的に移動させるという方法である（特許文献１参照）。
【０００９】
そのような従来の焼き付き防止装置を用いた映像の表示制御について、図１を参照して説明する。
【００１０】
図１は、時間経過に伴い１本の水平ライン上の映像の表示位置が変化する様子を示す図である。
【００１１】
従来の焼き付き防止装置を用いた映像の表示制御では、図１に示すように、所定周期毎に（例えば、図１に示すように、４フレーム分の表示期間毎に）映像の表示位置を徐々に移動（例えば、図１に示すような水平移動）させることにより、映像を変更せずに画面の焼き付きを防止することができる。
【００１２】
しかしながら、図１に示すような態様で映像の表示位置を移動させると、長い周期による移動とはいえ映像全体が１画素分急峻に移動するため、視覚的にどうしても不自然さが目立つという問題がある。
【００１３】
そこで、特許文献２乃至５には、映像の表示位置を移動させて焼き付きを防止するに際し、視覚的に違和感なく映像の表示位置を移動させる技術が開示されている。
【００１４】
このうち特許文献２の技術では、表示させようとする映像の同期信号に基づいて時間を計測し、その計測結果に基づいて同期信号の位相を所定時間単位で進行させ、かつ後退させるよう調整する。
【００１５】
特許文献３の技術では、入力信号に対して画素変換を行い、その補間位置間の位相を一津に３６０°として、３６０°よりも小さな変化単位で位相を変化させる。ただし、画素変換が行われない場合は、位相を変化させない。
【００１６】
特許文献４の技術では、入力信号に対し、画素変換比率に応じた所定の周期パタンによる係数情報に基づいた補間処理を行い、そのときの係数情報の開始位置を可変にすることにより、１画素未満の移動量による画素ずらしを実現する。
【００１７】
次に、特許文献５の技術による映像の表示制御について、図２を参照して説明する。
【００１８】
図２は、時間経過に伴い１本の水平ライン上の映像の表示位置が変化する様子を示す図である。
【００１９】
特許文献５の技術では、図２に示すように、所定周期毎に映像の表示位置を徐々に移動させることにより、映像を変更せずに画面の焼き付きを防止することができるだけでなく、映像を見かけ上サブピクセル単位で移動させることにより、視覚的に違和感なく映像の表示位置を移動させることができる。
【特許文献１】特開２０００−２２７７７５号公報
【特許文献２】特開２００３−２７４３１５号公報
【特許文献３】特開２００４−２６４３６６号公報
【特許文献４】特開２００５−０７０２２６号公報
【特許文献５】特開２００５−１０７１３２号公報
【発明の開示】
【発明が解決しようとする課題】
【００２０】
上記のように、特許文献１の技術では、映像全体が１画素分急峻に移動するため、視覚的にどうしても不自然さが目立つという問題がある。
【００２１】
また、特許文献１の技術における問題に鑑みなされた特許文献２乃至５の技術でも、それぞれ以下の問題がある。
【００２２】
特許文献２の技術では、同期信号の位相調整によるスムーズな表示画面の移動はアナログ信号入力時の処理に限られており、デジタル信号入力時の処理では１画素単位の移動になってしまうという問題を有している。高画質化の要求が高まる昨今では、デジタル入力時における焼き付き防止の処理も必須であり、アナログ入力時と共に対応できる焼き付きの防止機能が必要である。
【００２３】
特許文献３の技術では、画素変換処理と映像表示位置移動処理とを同時に行うため、処理が複雑になるという問題がある。例えば、３６０°よりも小さな位相変化で、表示位置の移動範囲が１画素を超える場合、１画素を跨ぐ瞬間の係数変換をＦＩＦＯメモリによるデータ読み出しなどで行う場合の処理は容易ではない。また、特許文献３の技術では、画素変換を行わない場合には位相を変化させないため、位相を変化させるには必ず画素変換を行わなければならないという問題もある。
【００２４】
特許文献４の技術では、画素変換比率に応じた所定の周期パタンによる係数情報を利用しているため、拡大率により１画素以内の移動量の分解能が異なってしまうという問題が生じる。また、画素変換係数によっては、隣接した補間点が順番に並ばない場合があり、それにより場合分けを行わなければならず、処理が複雑である。
【００２５】
特許文献５の技術では、映像を見かけ上サブピクセル単位で移動させることにより、視覚的に違和感なく映像の表示位置を移動させることができるが、映像がぼけてしまうという問題がある。
【００２６】
この点について、図３を参照して詳細に説明する。
【００２７】
図３は、時間経過に伴い１本の水平ライン上の映像の表示位置が変化する様子を示す図である。
【００２８】
例えば、図３に示すように、初期状態（最上段の状態）として、１本の水平ライン上において、黒表示の画素１と白表示の画素２とが交互に並んでいるとする。
【００２９】
この状態から、映像を１画素分だけ右方向に水平移動させると、例えば、図３の最下段に示すように、白表示の画素２と黒表示の画素１とが交互に並ぶ状態となる。
【００３０】
特許文献５の技術では、図３の最上段の状態から最下段の状態に移行させる過程で、時間経過に伴い、図３に示すように黒表示の画素１は徐々に白表示の画素２へと変化させる一方で、白表示の画素２は徐々に黒表示の画素１へと変化させる。
【００３１】
すなわち、一番左側の画素、真ん中の画素、及び、一番右側の画素は、それぞれ、時間経過に伴い、黒表示の画素１→黒に近いグレーの画素３→黒と白の中間のグレーの画素４→白に近いグレーの画素５→白表示の画素２へと変化する。
【００３２】
逆に、左から２番目及び右から２番目の画素は、それぞれ、時間経過に伴い、白表示の画素２→白に近いグレーの画素５→黒と白の中間のグレーの画素４→黒に近いグレーの画素３→黒表示の画素１へと変化する。
【００３３】
その過程において、時系列的に見て丁度中間の時点、すなわち、例えば、図３の中段（上から３番目の段）の状態では、全ての画素が黒と白の中間のグレーの画素４となり、映像の全体がぼけた状態となる。
【００３４】
以上のように、特許文献１の技術では一画素単位で映像を移動させるために映像の移動時の切り替わりが目に付くという問題があり、特許文献２の技術では同期信号の位相調整により焼き付き防止対策を行うためにアナログ信号での処理に限られるという問題があり、特許文献３及び４の技術では処理が容易でないという問題があった。また、特許文献５の技術では、映像がぼけてしまうという問題があった。
【００３５】
本発明が解決しようとする課題には、上述したような問題が一例として挙げられる。
【課題を解決するための手段】
【００３６】
請求項１に記載の発明は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、映像を１画素分移動させることによる各画素の表示レベルの変化量をＸとし、映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、前記映像移動制御手段は、Ｔ１とＴ３のうちの少なくとも何れか一方がＴ２よりも長くなるように、映像の表示位置を移動させることを特徴としている。
【００３７】
また、請求項２に記載の発明は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、前記映像移動制御手段は、映像を構成する各画素とそれらの周辺画素とを合成する合成手段と、前記合成手段による合成比率を徐々に変化させる合成比率変化手段と、を備え、映像を１画素分移動させるのに要する時間をＴとし、映像を１画素分移動させる過程で、各画素における表示レベルが移動前のレベルである時点から（Ｔ／３）だけ時間が経過するまでを第１表示期間、前記第１表示期間の終わりから（Ｔ／３）だけ時間が経過するまでを第２表示期間、前記第２表示期間の終わりから（Ｔ／３）だけ時間が経過して各画素における表示レベルが移動後のレベルとなるまでを第３表示期間とすると、前記第１表示期間と前記第３表示期間のうちの少なくとも何れか一方の期間における前記合成比率の変化割合は前記第２表示期間における前記合成比率の変化割合よりも小さいことを特徴としている。
【００３８】
また、請求項５に記載の発明は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、映像を１画素分移動させる過程において、移動前の時点での前記映像の見た目の平均移動速度は、前記映像が半画素分移動した時点での平均移動速度と異なることを特徴としている。
【００３９】
また、請求項８に記載の発明は、映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、映像を１画素分移動させることによる各画素の表示レベルの変化量をＸとすると、映像を１画素分移動させる過程は、各画素における表示レベルが移動前のレベルから（Ｘ／３）だけ変化するまでの第１の工程と、各画素における表示レベルが前記第１の工程の終わりから（Ｘ／３）だけ変化するまでの第２の工程と、各画素における表示レベルが前記第２の工程の終わりから（Ｘ／３）だけ変化して移動後のレベルとなるまでの第３の工程とを有し、前記第１の工程と前記第３の工程とのうち少なくとも一方の工程の長さは前記第２の工程の長さよりも長いことを特徴としている。
【００４０】
また、請求項９に記載の発明は、映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、映像を１画素分移動させるのに要する時間をＴとすると、映像を１画素分移動させる過程は、各画素における表示レベルが移動前のレベルである時点から（Ｔ／３）だけ時間が経過するまでの第１の工程と、前記第１の工程の終わりから（Ｔ／３）だけ時間が経過するまでの第２の工程と、前記第２の工程の終わりから（Ｔ／３）だけ時間が経過して各画素における表示レベルが移動後のレベルとなるまでの第３の工程とを有し、前記第１の工程における各画素の見た目の移動量と、前記第３の工程における各画素の見た目の移動量と、のうちの少なくとも何れか一方の移動量は、前記第２の工程における各画素の見た目の移動量よりも短いことを特徴としている。
【００４１】
また、請求項１０に記載の発明は、請求項８又は９に記載の映像表示制御方法をコンピュータに実行させるためのプログラムであることを特徴としている。
【００４２】
また、請求項１１に記載の発明は、請求項１乃至７の何れか一項に記載の映像表示制御装置を備える表示装置であることを特徴としている。
【発明を実施するための最良の形態】
【００４３】
次に、実施形態を説明する。
【００４４】
本実施形態に係る映像表示制御装置は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、映像を１画素分移動させることによる各画素の表示レベルの変化量をＸとし、映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、前記映像移動制御手段は、Ｔ１とＴ３のうちの少なくとも何れか一方がＴ２よりも長くなるように、映像の表示位置を移動させることを特徴としている。
【００４５】
本実施形態に係る映像表示制御装置は、図２に示すように、映像を構成する各画素における表示レベルをそれらの周辺画素における表示レベルへと複数ステップをかけて変化させることにより、１ステップでの映像の移動量が見た目では１画素未満となるように映像の表示位置を移動させるので、視覚的に違和感なく映像の表示位置を移動させることができる。
【００４６】
しかも、映像を１画素分移動させることによる各画素の表示レベルの変化量をＸとし、映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、前記映像移動制御手段は、Ｔ１とＴ３のうちの少なくとも何れか一方がＴ２よりも長くなるように、映像の表示位置を移動させるので、以下に説明するように、映像がぼけてしまうことを防止することができる。
【００４７】
図４は本実施形態に係る映像表示制御装置による表示制御の態様を説明するための図であり、時間経過に伴い１本の水平ライン上の映像の表示位置が変化する様子を示す。
【００４８】
例えば、図４に示すように、初期状態（最上段の状態）として、１本の水平ライン上において、黒表示の画素１と白表示の画素２とが交互に並んでいるとする。
【００４９】
この状態から、映像を１画素分だけ右方向に水平移動させると、例えば、図４の最下段に示すように、白表示の画素２と黒表示の画素１とが交互に並ぶ状態となる。
【００５０】
本実施形態に係る映像表示制御装置は、図４の最上段の状態から最下段の状態に移行させる過程で、時間経過に伴い、図４に示すように黒表示の画素１は徐々に白表示の画素２へと変化させる一方で、白表示の画素２は徐々に黒表示の画素１へと変化させる。
【００５１】
すなわち、映像を構成する各画素における表示レベルをそれらの周辺画素における表示レベルへと複数ステップをかけて変化させることにより、１ステップでの映像の移動量が見た目では１画素未満となるように映像の表示位置を移動させる。
【００５２】
具体的には、例えば、一番左側の画素、真ん中の画素、及び、一番右側の画素は、それぞれ、時間経過に伴い、黒表示の画素１→黒に近いグレーの画素３→黒と白の中間のグレーの画素４→白に近いグレーの画素５→白表示の画素２へと変化する。
【００５３】
逆に、左から２番目及び右から２番目の画素は、それぞれ、時間経過に伴い、白表示の画素２→白に近いグレーの画素５→黒と白の中間のグレーの画素４→黒に近いグレーの画素３→黒表示の画素１へと変化する。
【００５４】
その過程において、時系列的に見て丁度中間の時点、すなわち、例えば、図４の中段（上から３番目の段）の状態では、全ての画素が黒と白の中間のグレーの画素４となり、映像の全体がぼけた状態となる。
【００５５】
そこで、本実施形態に係る映像表示制御装置は、図４の中段（上から３番目の段）の状態及びそれに近い状態、すなわち図４に示す第２表示期間の長さＴ２を短くする一方で、図４に示す第１表示期間の長さＴ１及び第３表示期間の長さＴ３をそれぞれ長さＴ２よりも長くすることにより、映像の全体がぼけた状態での表示を短時間で済ませる。
【００５６】
すなわち、映像を１画素分移動させることによる各画素の表示レベルの変化量をＸとし、映像を１画素分移動させる過程で、各画素における表示レベルが移動前のレベル（図４の最上段の状態）から（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベル（図４の最下段の状態）となるまでの第３表示期間の長さをＴ３とすると、Ｔ１とＴ３のうちの少なくとも何れか一方がＴ２よりも長くなるように（好ましくは、Ｔ１＞Ｔ２、且つ、Ｔ２＜Ｔ３となるように）映像の表示位置を移動させる。なお、例えばＴ１＞Ｔ２＝Ｔ３あるいはＴ１＝Ｔ２＜Ｔ３としても良い。
【００５７】
本実施形態に係る映像表示制御装置によれば、映像を構成する各画素における表示レベルをそれらの周辺画素における表示レベルへと複数ステップをかけて変化させることにより、１ステップでの映像の移動量が見た目では１画素未満となるように映像の表示位置を移動させるので、映像を一定期間表示したときに発生する焼き付きを防止することができるとともに、視覚的に目立つことなくスムーズに映像を移動させることができる。
【００５８】
しかも、映像を１画素分移動させることによる各画素の表示レベルの変化量をＸとし、映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、Ｔ１とＴ３のうちの少なくとも何れか一方がＴ２よりも長くなるように、映像の表示位置を移動させるので、映像がぼけた状態となりがちな第２表示期間の長Ｔ２さを短くすることができる。よって、ぼけさせることなくスムーズに映像を移動させ、焼き付きを防止することができる。
【００５９】
また、本実施形態に係る映像表示制御装置は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、映像を１画素分移動させることによる各画素の表示レベルの変化量をＸとし、映像を１画素分移動させる過程で、各画素における表示レベルが移動前のレベルから（Ｘ／４）だけ変化するまでの第１表示期間の長さをＴ１、各画素における表示レベルが前記第１表示期間の終わりから（Ｘ／４）だけ変化するまでの第２表示期間の長さをＴ２、各画素における表示レベルが前記第２表示期間の終わりから（Ｘ／４）だけ変化するまでの第３表示期間の長さをＴ３、各画素における表示レベルが前記第３表示期間の終わりから（Ｘ／４）だけ変化して移動後のレベルとなるまでの第４表示期間の長さをＴ４とすると、前記映像移動制御手段は、Ｔ１＋Ｔ４の方がＴ２＋Ｔ３よりも長くなるように、映像の表示位置を移動させることを特徴としている。画素の見た目の位置が物理的な表示画素（見た目ではなく現実に存在する表示画素）の位置、あるいは物理的な表示画素の位置から１／４画素以内の位置にある表示期間がＴ１、Ｔ４であり、この位置では表示のぼけは目立たない。一方、画素の見た目の位置が互いに隣接する２つの表示画素の物理的位置の中心の位置、あるいはその中心から１／４画素以内の位置にある表示期間がＴ２、Ｔ３であり、この位置では表示のぼけは目立ちやすい。そこでＴ１＋Ｔ４の時間をＴ２＋Ｔ３の時間よりできるだけ長くする方が見た目のぼけを目立ちにくくすることができる。しかし、例えばＴ２＝Ｔ３＝０とするとぼけは目立ちにくくなるが、見た目には１ステップで１／２画素分だけ画素が移動することなるため、視覚的には画素の移動が目立ちやすくなる。見た目の画素の移動とぼけがともに目立たなくなる条件は画素サイズと視聴者の表示面からの距離だけでなく表示内容にも左右される。焼き付きやすい画面で考えると、中間階調が少なく、コントラストの高い画面になる。このような画面では画素の移動が視認できる画角は一般に１／１２０度と言われている。４０型以上の表示を考えると視聴距離を対角の２倍とすると、視聴距離は２ｍとなる。すなわち２ｍ離れた位置から表示面を見たとき、表示面の画素が１ステップで動いたときに視認できる移動距離は、
２０００ｍｍ×ｔａｎ（１／１２０度）＝０．２９ｍｍ
となる。よって、画素が１ステップで動く距離をこの半分の０．１５ｍｍ以下にすれば見た目には分からないということになる。
【００６０】
４０型ワイドＸＧＡ（７６８画素×１３６５画素）の画素サイズは０．６５ｍｍ×０．６５ｍｍなので、この場合は１ステップの移動距離は０．１５ｍｍ以下とし、かつＴ２＋Ｔ３の時間を短くし、かつ見た目の画素の静止位置を隣接する２画素の中央にならないようにすることが望ましい。
【００６１】
４０型ワイドＶＧＡ（４８０画素×８５３画素）の画素サイズは１．０４ｍｍ×１．０４ｍｍ。１ステップの移動距離は０．１５ｍｍ以下とし、かつＴ２＋Ｔ３の時間を短くすることは同じだが、見た目の画素の静止位置は隣接する２画素の中央近傍にも設定せざるえないことになる。この場合はＴ２＋Ｔ３の時間をより短くするような制御が望ましい。
【００６２】
また、本実施形態に係る映像表示制御装置は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、前記映像移動制御手段は、映像を構成する各画素とそれらの周辺画素とを合成する合成手段と、前記合成手段による合成比率を徐々に変化させる合成比率変化手段と、を備え、映像を１画素分移動させるのに要する時間をＴとし、映像を１画素分移動させる過程で、各画素における表示レベルが移動前のレベルである時点から（Ｔ／３）だけ時間が経過するまでを第１表示期間、前記第１表示期間の終わりから（Ｔ／３）だけ時間が経過するまでを第２表示期間、前記第２表示期間の終わりから（Ｔ／３）だけ時間が経過して各画素における表示レベルが移動後のレベルとなるまでを第３表示期間とすると、前記第１表示期間と前記第３表示期間のうちの少なくとも何れか一方の期間における前記合成比率の変化割合は前記第２表示期間における前記合成比率の変化割合よりも小さいことを特徴とする。もちろん前記第２表示期間における前記合成比率の変化割合が、前記第１表示期間及び前記第３表示期間の何れの期間における前記合成比率の変化割合よりも大きいことがより望ましい。
【００６３】
また、本実施形態に係る映像表示制御装置は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、前記映像移動制御手段は、映像を構成する各画素とそれらの周辺画素とを合成する合成手段と、前記合成手段による合成比率を徐々に変化させる合成比率変化手段と、を備え、映像を１画素分移動させるのに要する時間をＴとし、映像を１画素分移動させる過程で、各画素における表示レベルが移動前のレベルである時点から（Ｔ／４）だけ時間が経過するまでを第１表示期間、前記第１表示期間の終わりから（Ｔ／２）だけ時間が経過するまでを第２表示期間、前記第２表示期間の終わりから（Ｔ／４）だけ時間が経過して各画素における表示レベルが移動後のレベルとなるまでを第３表示期間とすると、前記第１表示期間と前記第３表示期間における前記合成比率の変化割合の合計は前記第２表示期間における前記合成比率の変化割合よりも小さいことを特徴とする。
【００６４】
画素の見た目の位置が物理的な表示画素の位置に位置する時点、あるいは物理的な表示画素の位置に位置する時間帯の時間的中央時点（該時間帯の始まりと終わりの丁度中間の時点）を起点としてその時点からＴ／４の時間帯が第１表示期間、前記時間的中央時点の前Ｔ／４の時間帯が第３表示期間であり、この期間では表示のぼけは目立たない。一方、前記第１表示期間と第３表示期間の間の時間帯、すなわち画素の見た目の位置が物理的な表示画素の位置に位置する時間帯の時間的中央時点からＴ／４経過した時点から、さらにＴ／２経過した時点までの時間帯が第２表示期間であり、表示のぼけは目立ちやすい。従って、表示のぼけがめだちやすい第２表示期間では前記合成比率の変化を大きくし、見た目のぼけが目立つことがないように制御する。一方、第１及び第３表示期間では表示のぼけは目立ちにくいため、前記合成比率の変化は小さくしている。
【００６５】
前記映像移動制御手段は、映像を１画素分移動させる過程に含まれる前記複数ステップにおける各ステップの時間の長さを徐々に変化させるステップ長変化手段を備え、前記第１表示期間と前記第３表示期間のうちの少なくとも何れか一方の期間における前記ステップの時間の長さは前記第２表示期間における前記ステップの時間の長さよりも長いことが好ましく、これにより、本実施形態に係る映像表示制御装置による制御をより好適に実現させることができる。
【００６６】
或いは、前記映像移動制御手段は、映像を１画素分移動させる過程に含まれる前記複数ステップにおける各ステップでの映像の見た目の移動量を徐々に変化させる移動量変化手段を備え、前記第１表示期間と前記第３表示期間のうちの少なくとも何れか一方の期間における前記ステップでの映像の見た目の移動量は前記第２表示期間における前記ステップでの映像の見た目の移動量よりも短いことも好ましく、この場合にも、本実施形態に係る映像表示制御装置による制御をより好適に実現させることができる。
【００６７】
また、本実施形態に係る映像表示制御装置は、映像の表示位置を移動させることにより画面の焼き付きを防止させる映像表示制御装置において、映像を構成する各画素における表示レベルをそれらの周辺画素における表示レベルへと複数ステップをかけて変化させることにより、１ステップでの映像の移動量が見た目では１画素未満となるように映像の表示位置を移動させる映像移動制御手段を備え、映像を１画素分移動させる過程において、移動前の時点での前記映像の見た目の平均移動速度は、前記映像が半画素分移動した時点での平均移動速度と異なることを特徴としている。
【００６８】
本実施形態に係る映像表示制御装置によれば、映像を１画素分移動させる過程において、移動前の時点での前記映像の見た目の平均移動速度は、前記映像が半画素分移動した時点での平均移動速度と異なるので、ぼけさせることなくスムーズに映像を移動させ、焼き付きを防止することができる。
【００６９】
本実施形態に係る映像表示制御装置においては、映像を１画素分移動させる過程において、移動前の時点での前記映像の見た目の平均移動速度は、前記映像が半画素分移動した時点での平均移動速度よりも遅いことが好ましい。
【００７０】
また、本実施形態に係る映像表示制御装置においては、前記映像移動制御手段は、映像の水平方向への移動と垂直方向への移動とを別の時間に行うことが好ましく、これにより、映像がぼけてしまうことを防止することができる。
【００７１】
なお、本実施形態に係る映像表示制御装置においては、前記周辺画素は、映像の移動方向において、各画素の隣に位置する１つの画素（隣接画素）であることが好ましい一例であり、これにより、比較的簡単な演算で、映像の表示位置を移動させる制御を行うことができる。
【００７２】
本実施形態に係る映像表示制御方法は、映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、映像を１画素分移動させることによる各画素の表示レベルの変化量をＸとすると、映像を１画素分移動させる過程は、各画素における表示レベルが移動前のレベルから（Ｘ／３）だけ変化するまでの第１の工程と、各画素における表示レベルが前記第１の工程の終わりから（Ｘ／３）だけ変化するまでの第２の工程と、各画素における表示レベルが前記第２の工程の終わりから（Ｘ／３）だけ変化して移動後のレベルとなるまでの第３の工程とを有し、前記第１の工程と前記第３の工程とのうち少なくとも一方の工程の長さは前記第２の工程の長さよりも長いことを特徴としている。
【００７３】
本実施形態に係る映像表示制御方法によれば、本実施形態に係る映像表示制御装置と同様の効果が得られる。
【００７４】
また、本実施形態に係る映像表示制御方法は、映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、映像を１画素分移動させるのに要する時間をＴとすると、映像を１画素分移動させる過程は、各画素における表示レベルが移動前のレベルである時点から（Ｔ／３）だけ時間が経過するまでの第１の工程と、前記第１の工程の終わりから（Ｔ／３）だけ時間が経過するまでの第２の工程と、前記第２の工程の終わりから（Ｔ／３）だけ時間が経過して各画素における表示レベルが移動後のレベルとなるまでの第３の工程とを有し、前記第１の工程における各画素の見た目の移動量と、前記第３の工程における各画素の見た目の移動量と、のうちの少なくとも何れか一方の移動量は、前記第２の工程における各画素の見た目の移動量よりも短いことを特徴としている。
【００７５】
本実施形態に係る映像表示制御方法によれば、前記第１の工程における各画素の見た目の移動量と、前記第３の工程における各画素の見た目の移動量と、のうちの少なくとも何れか一方の移動量は、前記第２の工程における各画素の見た目の移動量よりも短いので、映像がぼけた状態となりがちな第２工程では速やかに表示レベルが変化するようにできるので、ぼけさせることなくスムーズに映像を移動させ、焼き付きを防止することができる。
【００７６】
また、本実施形態に係るプログラムは、本実施形態に係る映像表示制御方法をコンピュータに実行させるためのプログラムであることを特徴としている。
【００７７】
本実施形態に係るプログラムによれば、本実施形態に係る映像表示制御方法と同様の効果が得られる。
【００７８】
また、本実施形態に係る表示装置は、本実施形態に係る映像表示制御装置を備えることを特徴としている。
【００７９】
本実施形態に係る表示装置によれば、本実施形態に係る映像表示制御装置と同様の効果が得られる。
【実施例１】
【００８０】
実施例１では、映像の表示位置を移動させることにより画面の焼き付きを防止させるに際し、所定のステップ数（例えば、２５６ステップ）で所定時間（例えば、６０秒）をかけて１画素分移動させる過程で、各ステップの時間の長さは一定（例えば、（６０／２５６）秒）であるが、映像を構成する各画素とそれらの隣設画素との合成比率が変化する割合が、時間経過に伴い徐々に変化する例について説明する。
【００８１】
すなわち、実施例１では、図４に示す第１及び第３表示期間では、合成比率の変化割合を比較的小さくする一方で、映像がぼけた状態となりがちな第２表示期間では、合成比率の変化割合を比較的大きくすることにより、第１表示期間の長さＴ１＞第２表示期間の長さＴ２となり、且つ、第２表示期間の長さＴ２＜第３表示期間のＴ３となるようにする。
【００８２】
図５は実施例１に係る映像表示制御装置１００を備える表示装置１５０の構成を示すブロック図である。
【００８３】
図５に示すように、表示装置１５０は、映像信号の入力を受け付ける映像信号入力部１と、この映像信号入力部１に入力される映像信号をＡ／Ｄ変換するＡ／Ｄ変換部２と、このＡ／Ｄ変換部２によるＡ／Ｄ変換後の映像信号に対し後述する処理を施して出力する映像表示制御装置１００と、この映像表示制御装置１００から出力される映像信号に基づき映像を表示する表示部４と、を備えて構成されている。
【００８４】
なお、表示装置１５０は、例えば、プラズマディスプレイ装置として構成される。すなわち、表示部４は、例えば、プラズマディスプレイパネルからなる。
【００８５】
映像表示制御装置１００は、映像を構成する各画素と対応する映像信号と、それらの隣接画素と対応する映像信号と、を合成し、該合成後の映像信号を表示部４に出力する合成部（合成手段）３と、この合成部３による画素の合成比率を随時演算して該合成部３に供給する重心位置演算部（合成比率変化手段）７と、この重心位置演算部７による演算に用いられる各種の情報を記憶保持した映像移動情報記憶部６と、時間を計時してその計時結果を重心位置演算部７に対し出力するタイマ部５と、を備えて構成されている。なお、合成部３及び重心位置演算部７により映像移動制御手段が構成されている。
【００８６】
表示装置１５０に入力されるコンポジット信号、コンポーネント信号及びＲＧＢ信号などの映像信号は、映像信号入力部１にて入力切り替え、色分離、色復調などの処理がなされた後、Ａ／Ｄ変換部２にてデジタル信号に変換され、映像表示制御装置１００の合成部３に入力される。
【００８７】
映像表示制御装置１００の映像移動情報記憶部６は、例えば、映像を１画素分移動させるのに要する時間の長さ（例えば、６０秒）を示す情報（１画素分移動所要時間情報）と、映像を１画素分移動させるのに要するステップ数（例えば、２５６ステップ）を示す情報（１画素分移動所要ステップ数情報）と、各ステップの時間の長さ（例えば、（６０／２５６）秒）を示す情報（ステップ長情報）と、各時間毎の映像の移動方向を示す情報（移動方向情報）と、重心位置演算部７による合成比率の演算に用いられる関数（図６）を示す合成比率演算用関数情報と、を記憶保持し、これら情報を重心位置演算部７に供給する。
【００８８】
重心位置演算部７では、これら情報に基づいて、随時、映像を構成する各画素と、これら各々の画素とその隣接画素との重心の位置を合成比率として演算し、この演算結果を合成部３に出力する。
【００８９】
ここで、本実施例の場合、例えば、映像を水平方向に往復移動させるものとし、より具体的には、例えば、右方向への所定画素数（例えば８画素分）の移動と、左方向への所定画素数（同じく例えば８画素分）の移動と、左方向への所定画素数（同じく例えば８画素分）の移動と、右方向への所定画素数（同じく例えば８画素分）の移動と、の合計３２画素分の往復移動で１周期をなす映像の移動を、繰り返し行う。
【００９０】
このため、映像の移動方向は、各周期において、例えば、最初の４８０秒間（１画素分につき６０秒×８画素分）は右方向、次の９６０秒間（６０秒×１６）は左方向、更に次の４８０秒間（６０秒×８）は右方向となる。
【００９１】
なお、映像移動情報記憶部６に記憶された移動方向情報は、このような映像の移動の規則を示す情報である。
【００９２】
重心位置演算部７は、映像移動情報記憶部６から供給される移動方向情報と、タイマ部５から供給される計時情報と、に基づいて、映像の現在の移動方向を認識する。
【００９３】
すなわち、タイマ部５からの計時情報に基づいて、ある周期の映像の移動を開始してからの経過時間が、例えば１００秒であると認識した場合には、現在の移動方向が右方向であると認識することができ、同様に、該経過時間が５００秒であると認識した場合には、現在の移動方向が左方向であると認識することができる。
【００９４】
また、重心位置演算部７は、映像を１画素分移動させる過程において、ステップが切り替わるたびに、各画素とそれらの隣設画素との現在の合成比率を新たに演算する。
【００９５】
なお、実施例１の場合、重心位置演算部７は、現在のステップが何ステップ目であるかを、例えば、映像移動情報記憶部６から供給されるステップ長情報（例えば、（６０／２５６）秒を示す情報）と、タイマ部５から供給される計時情報と、に基づいて認識することができる。
【００９６】
すなわち、タイマ部５からの計時情報に基づいて、ある１画素分の映像の移動を開始してからの経過時間が、例えば（１２０／２５６）秒以上（１８０／２５６）秒未満であると認識した場合には、現在のステップが２ステップ目であると認識することができる。
【００９７】
或いは、現在のステップが何ステップ目であるかの認識は、例えば、映像を１画素分移動させる過程において、合成比率の演算を何回行ったかをカウントすることによっても行うことができる。
【００９８】
重心位置演算部７による合成比率の演算は、例えば図６に示すようなグラフの関数（合成比率演算用関数）を用いて行い、重心位置演算部７は、その演算結果を合成部３に出力する。
【００９９】
合成部３では、重心位置演算部７から入力される重心の位置（合成比率）の情報に基づいて、各画素とその隣接画素とのレベル調整を行い、重心位置を移動した各画素の映像信号を表示部４に出力する。
【０１００】
表示部４では、合成部３から入力される映像信号に基づいて映像を表示する。
【０１０１】
従って、ステップが切り替わるたびに、各画素における表示レベルが変化することとなる。
【０１０２】
次に、映像が右方向に移動するときの動作を図７乃至図９を参照して説明する。
【０１０３】
図７は右方向への映像の移動と重心移動（合成比率の変化）を説明するための図である。
【０１０４】
図７に示すように、水平Ｈライン上の参照画素をＢとしたときにその右側の画素をＡ、左側の画素をＣとすると、時間経過に伴いＬフィールドからＮフィールドにかけて画素Ｂに表示された映像が右隣の画素Ａへ移動する様子を示している。
【０１０５】
このとき画素Ｂに注目すると、Ｌフィールドにおける画素ＢのレベルがＭフィールドではＬフィールドにおける画素Ｃのレベル（表示レベル）へ徐々に近づき、ＮフィールドではＬフィールドの画素Ｃのレベルへ完全に変換されていることがわかる。
【０１０６】
すなわち時間経過とともに画素Ｂに表示された映像が画素Ａへ移動するように視認できるとき、画素Ｂのレベルは画素Ｃのレベルに変換されるといえる。
【０１０７】
このときの画素Ｂから画素Ｃへのレベルの移り変わりを画素Ｂから画素Ｃへの重心の移動ということとする。
【０１０８】
さらに、重心位置演算部７により随時演算される重心移動の比率を「ｋ」および「１−ｋ」とし、これを図８に示す。
【０１０９】
比率「ｋ」は、映像が１画素分移動する過程に含まれる各ステップ毎の重心の移動（合成比率の変化）に伴い、図６及び図８に示すように徐々に１から０へ推移する。
【０１１０】
つまり、図７において、Ｌフィールドの画素Ｂの重心移動の比率ｋは「ｋ＝１」であり、Ｎフィールドの画素Ｂの重心移動の比率ｋは「ｋ＝０」である。
【０１１１】
係数ｋの分解能は、上記の１画素分移動所要ステップ数情報で規定される値（例えば、２５６）に等しい。
【０１１２】
「ｋ」の経時変化を表す関数は、例えば図６に示すように、「ｋ」を縦軸とし、映像を１画素分移動させる過程における経過時間「ｔ」を横軸とすると、例えば、映像を１画素分移動させるのに要する時間（例えば、６０秒）を初期（最初の２０秒間）、中期（次の２０秒間）及び後期（最後の２０秒間）の３つの時間帯に分割したうちの初期及び後期では傾きの絶対値が比較的小さく、中期では傾きの絶対値が比較的大きくなる。
【０１１３】
重心位置演算部７は、上記のようにステップ長情報とタイマ部５からの計時情報に基づいてステップの切り替わりを認識する度に、映像移動情報記憶部６から供給される合成比率演算用関数情報（図６に示すような関数を示す情報）に従って、各ステップ毎に「ｋ」及び「ｋ−１」の値を演算し、これら値を合成部３に出力する。
【０１１４】
また、合成部３は、「ｋ」及び「ｋ−１」の値を用いて画素Ｂに対応する映像信号と画素Ｃに対応する映像信号とを合成することにより、新しい画素Ｂの映像信号を演算する。
【０１１５】
画素Ｂと画素Ｃとを合成して得られる新しい画素Ｂのレベルは、｛ｋ×（画素Ｂのレベル）＋（１−ｋ）×（画素Ｃのレベル）｝となる。つまり、重心位置演算部７は、合成部３による画素の合成比率を徐々に変化させているといえる。
【０１１６】
このように、映像を１画素分移動させる過程で、映像を構成する各画素における表示レベルをそれらの隣接画素における表示レベルへと複数ステップをかけて変化させることにより、例えば図２に示すように、１ステップでの映像の移動量が見た目では１画素未満となるように映像の表示位置を移動させることができる。
【０１１７】
ここで、便宜的に、映像を１画素分移動させる過程において、ｋの値が１から２／３までの期間を第１表示期間、ｋの値が２／３から１／３までの期間を第２表示期間、ｋの値が１／３から０までの期間を第３表示期間とする。
【０１１８】
換言すれば、映像を１画素分移動させることによる各画素の表示レベルの変化量をＸとし、映像を１画素分移動させる過程で、各画素における表示レベルが移動前のレベルから（Ｘ／３）だけ変化するまでの期間を第１表示期間、各画素における表示レベルが第１表示期間の終わりから（Ｘ／３）だけ変化するまでの期間を第２表示期間、各画素における表示レベルが第２表示期間の終わりから（Ｘ／３）だけ変化して移動後のレベルとなるまでの期間を第３表示期間とする。
【０１１９】
従って、第１表示期間及び第３表示期間では映像が比較的鮮明となるのに対し、第２表示期間では映像がぼけた状態となりがちであるといえる。
【０１２０】
図６に示すように、第１及び第３表示期間では、「ｋ」の経時変化を表す関数の傾きの絶対値が（平均すると）比較的小さいので、合成比率の変化割合も（平均すると）比較的小さい。
【０１２１】
他方、第２表示期間では「ｋ」の経時変化を表す関数の傾きの絶対値が比較的大きいので、合成比率の変化割合も比較的大きい。
【０１２２】
このため、図６に示すように、第１表示期間の長さＴ１＞第２表示期間の長さＴ２となり、且つ、第２表示期間の長さＴ２＜第３表示期間の長さＴ３となる。
【０１２３】
つまり、映像がぼけた状態となりがちな第２表示期間の長Ｔ２さを短くすることができるので、映像を１画素分移動させる過程の全体としては、映像がぼけてしまうことを極力抑制できる。
【０１２４】
或いは、換言すれば、映像を１画素分移動させる過程において、移動前の時点（第１表示期間に含まれる時点）での前記映像の見た目の平均移動速度は、前記映像が半画素分移動した時点（第２表示期間に含まれる時点）での平均移動速度よりも遅いので、映像がぼけてしまうことを極力抑制できる。ここで、移動前の時点とは、映像が静止している時点をいうのではなく、例えば、映像が８画素分だけ連続的に水平方向に移動する過程において、移動開始から１画素分移動した時点など、映像が移動中の時点を意味する。
【０１２５】
「ｋ」の経時変化を表す関数は、具体的には、例えば、図６に示すように、初期では「ｋ＝−（ｔ／１２０）＋１」、中期では「ｋ＝−（ｔ／３０）＋（３／２）」、後期では「ｋ＝−（ｔ／１２０）＋（１／２）」で表される。
【０１２６】
図９は、右方向へ映像が移動する際の合成部３の動作を説明するための図である。
【０１２７】
図９に示すように、合成部３は、Ａ／Ｄ変換部２から映像信号が入力される映像入力端子２１と、重心位置演算部７から乗算係数「ｋ」、「１−ｋ」がそれぞれ入力される乗算係数入力端子２２、２３と、Ｄフリップフロップ２４、２５、２６と、乗算器２７、２８と、加算器２９と、表示部４に映像信号を出力する映像信号出力端子３０と、を備えている。
【０１２８】
映像入力端子２１から入力されてＤフリップフロップ２４を通った映像信号と対応する画素を画素Ｂ、Ｄフリップフロップ２５を通った映像信号と対応する画素を画素Ｃとしたときに、画素Ｂの映像信号は乗算器２７に入力され、画素Ｃの映像信号は乗算器２８に入力される。
【０１２９】
乗算器２７では乗算件数「ｋ」と画素Ｂの映像信号とが乗算され、乗算器２８では乗算件数「１−ｋ」と画素Ｃの映像信号とが乗算される。
【０１３０】
乗算器２７の出力と乗算器２８の出力は加算器２９に入力されて相互に加算され、その出力はＤフリップフロップ２６を通り映像出力端子３０から出力される。
【０１３１】
このように、画素Ｂと、その重心移動方向の隣接画素Ｃとの重心の比率を示す乗算係数「ｋ」および「１−ｋ」を用いて画素Ｂから隣接画素Ｃへのレベル変換処理を徐々に行うことにより、設定した時間間隔（例えば、上記のように６０秒）での画素Ｂから隣接画素Ｃへの重心移動が行われる。
【０１３２】
次に、映像が左方向に移動するときの動作を図９乃至図１１を参照して説明する。
【０１３３】
図１０は左方向への映像の移動と重心移動（合成比率の変化）を説明するための図である。
【０１３４】
図１０に示すように、水平Ｉライン上の参照画素をＹとしたときにその右側の画素をＸ、左側の画素をＺとすると、時間経過に伴いＯフィールドからＱフィールドにかけて画素Ｙに表示された映像が左隣の画素Ｚへ移動する様子を示している。
【０１３５】
このとき画素Ｙに注目すると、Ｏフィールドにおける画素ＹのレベルがＰフィールドではＯフィールドの画素Ｘのレベルへ徐々に近づき、ＱフィールドではＯフィールドにおける画素Ｘのレベルへ完全に変換されていることがわかる。
【０１３６】
すなわち時間経過とともに画素Ｙに表示された映像が画素Ｚへ移動するように視認できるとき、画素Ｙのレベルは画素Ｘのレベルに変換されるといえる。
【０１３７】
このときの画素Ｙから画素Ｘへのレベルの移り変わりを画素Ｙから画素Ｘへの重心の移動ということとする。
【０１３８】
さらに、重心位置演算部７により随時演算される重心移動の比率を「ｐ」および「１−ｐ」とし、これを図１０に示す。
【０１３９】
比率「ｐ」は、映像が１画素分移動する過程に含まれる各ステップ毎の重心の移動（合成比率の変化）に伴い、図６及び図１１に示すように徐々に１から０へ推移するものとする。
【０１４０】
つまり、図１０において、Ｏフィールドの画素Ｙの重心移動の比率ｐは「ｐ＝１」であり、Ｑフィールドの画素Ｙの重心移動の比率ｐは「ｐ＝０」である。
【０１４１】
係数ｐの分解能は、上記の１画素分移動所要ステップ数情報で規定される値（例えば、２５６）に等しい。
【０１４２】
「ｐ」の経時変化を表す関数は、例えば図６に示すように、「ｋ」の経時変化を表す関数と同様である。
【０１４３】
重心位置演算部７は、上記のようにステップ長情報とタイマ部５からの計時情報に基づいてステップの切り替わりを認識する度に、映像移動情報記憶部６から供給される合成比率演算用関数情報（図６に示すような関数を示す情報）に従って、各ステップ毎に「ｐ」及び「ｐ−１」の値を演算し、これら値を合成部３に出力する。
【０１４４】
また、合成部３は、「ｐ」及び「ｐ−１」の値を用いて画素Ｙに対応する映像信号と画素Ｘに対応する映像信号とを合成することにより、新しい画素Ｙの映像信号を演算する。
【０１４５】
画素Ｙと画素Ｘとを合成して得られる新しい画素Ｙのレベルは、｛ｐ×（画素Ｙのレベル）＋（１−ｐ）×（画素Ｘのレベル）｝となる。つまり、重心位置演算部７は、合成部３による画素の合成比率を徐々に変化させているといえる。
【０１４６】
移動方向が左方向の場合にも、図６に示すように、第１表示期間の長さＴ１＞第２表示期間の長さＴ２となり、且つ、第２表示期間の長さＴ２＜第３表示期間の長さＴ３となる。
【０１４７】
つまり、映像がぼけた状態となりがちな第２表示期間の長Ｔ２さを短くすることができるので、映像を１画素分移動させる過程の全体としては、映像がぼけてしまうことを極力抑制できる。
【０１４８】
図１２は、左方向へ映像が移動する際の映像表示制御装置の動作を説明するための図である。
【０１４９】
図１２に示すように、合成部３は、Ａ／Ｄ変換部２から映像信号が入力される映像入力端子３１と、重心位置演算部７から乗算係数「ｐ」、「１−ｐ」がそれぞれ入力される乗算係数入力端子３２、３３と、Ｄフリップフロップ３４、３５、３６と、乗算器３７、３８と、加算器３９と、表示部４に映像信号を出力する映像信号出力端子４０と、を備えている。
【０１５０】
映像入力端子３１から入力された映像信号と対応する画素を画素Ｘ、Ｄフリップフロップ３４を通った映像信号と対応する画素を画素Ｙとしたときに、画素Ｘの映像信号は乗算器３７に入力され、画素Ｙの映像信号は乗算器３８に入力される。
【０１５１】
乗算器３７では乗算件数「１−ｐ」と画素Ｘの映像信号とが乗算され、乗算器３８では乗算件数「ｐ」と画素Ｙの映像信号とが乗算される。
【０１５２】
乗算器３７の出力と乗算器３８の出力は加算器３９に入力されて相互に加算され、その出力はＤフリップフロップ３６を通り映像出力端子４０から出力される。
【０１５３】
このように、画素Ｙと、その重心移動方向の隣接画素Ｘとの重心の比率を示す乗算係数「ｐ」および「１−ｐ」を用いて画素Ｙから隣接画素Ｘへのレベル変換処理を徐々に行うことにより、設定した時間間隔（例えば、上記のように６０秒）での画素Ｙから隣接画素Ｘへの重心移動が行われる。
【０１５４】
なお、上記においては、合成比率の演算用に、例えば図６に示すような複数の直線状部からなるグラフの関数を用いる例を説明したが、図１３に示すように、曲線のグラフを用いることがより好ましい。
【０１５５】
図１３に示す関数は、具体的には、「ｋ」、「ｐ」を縦軸とし、映像を１画素分移動させる過程における経過時間「ｔ」を横軸とすると、例えば、映像を１画素分移動させるのに要する時間（例えば６０秒）を前期（最初の３０秒間）及び後期（残りの３０秒間）の２つの時間帯に分割したうちの前期では「ｋ＝−（ｔ2／１８００）＋１」、後期では「ｋ＝（ｔ−６０）2／１８００」で表される。
【０１５６】
図１３に示す関数を用いる場合も、映像を１画素分移動させる過程において、ｋ、ｐの値が１から２／３までの期間を第１表示期間、ｋ、ｐの値が２／３から１／３までの期間を第２表示期間、ｋ、ｐの値が１／３から０までの期間を第３表示期間とすると、第１及び第３表示期間では、「ｋ」、「ｐ」の経時変化を表す関数の傾きの絶対値が比較的小さいので、合成比率の変化割合も比較的小さくなり、第２表示期間では「ｋ」、「ｐ」の経時変化を表す関数の傾きの絶対値が比較的大きいので、合成比率の変化割合も比較的大きくなる。
【０１５７】
よって、図１３に示すように、第１表示期間の長さＴ１＞第２表示期間の長さＴ２となり、且つ、第２表示期間の長さＴ２＜第３表示期間の長さＴ３となり、映像がぼけた状態となりがちな第２表示期間の長Ｔ２さを短くすることができるので、映像を１画素分移動させる過程の全体としては、映像がぼけてしまうことを極力抑制できる。
【０１５８】
以上のような実施例１によれば、映像の表示位置を移動させることにより画面の焼き付きを防止させる映像表示制御装置１００において、例えば図２に示すように、映像を構成する各画素における表示レベルをそれらの隣接画素における表示レベルへと複数ステップをかけて変化させることにより、１ステップでの映像の移動量が見た目では１画素未満となるように映像の表示位置を移動させるので、映像を一定期間表示したときに発生する焼き付きを防止することができるとともに、視覚的に目立つことなくスムーズに映像を移動させることができる。
【０１５９】
しかも、映像を１画素分移動させることによる各画素の表示レベルの変化量をＸとし、映像を１画素分移動させる過程で、各画素における表示レベルが移動前のレベルから（Ｘ／３）だけ変化するまでの第１表示期間の長さをＴ１、各画素における表示レベルが前記第１表示期間の終わりから（Ｘ／３）だけ変化するまでの第２表示期間の長さをＴ２、各画素における表示レベルが前記第２表示期間の終わりから（Ｘ／３）だけ変化して移動後のレベルとなるまでの第３表示期間の長さをＴ３とすると、Ｔ１とＴ３のうちの少なくとも何れか一方がＴ２よりも長くなるように、映像の表示位置を移動させるので、映像がぼけた状態となりがちな第２表示期間の長Ｔ２さを短くすることができる。よって、ぼけさせることなくスムーズに映像を移動させ、焼き付きを防止することができる。
【０１６０】
また、以上のような実施例１によれば、映像の表示位置を移動させることにより画面の焼き付きを防止させる映像表示制御装置１００において、例えば図２に示すように、映像を構成する各画素における表示レベルをそれらの隣接画素における表示レベルへと複数ステップをかけて変化させることにより、１ステップでの映像の移動量が見た目では１画素未満となるように映像の表示位置を移動させるので、映像を一定期間表示したときに発生する焼き付きを防止することができるとともに、視覚的に目立つことなくスムーズに映像を移動させることができる。
【０１６１】
しかも、映像を１画素分移動させるのに要する時間をＴとし、映像を１画素分移動させる過程で、各画素における表示レベルが移動前のレベルである時点から（Ｔ／３）だけ時間が経過するまでを第１表示期間、前記第１表示期間の終わりから（Ｔ／３）だけ時間が経過するまでを第２表示期間、前記第２表示期間の終わりから（Ｔ／３）だけ時間が経過して各画素における表示レベルが移動後のレベルとなるまでを第３表示期間とすると、前記第１表示期間と前記第３表示期間のうちの少なくとも何れか一方の期間における前記合成比率の変化割合は前記第２表示期間における前記合成比率の変化割合よりも小さいので、映像がぼけた状態となりがちな第２表示期間における合成比率の変化割合を大きくすることができる。よって、ぼけさせることなくスムーズに映像を移動させ、焼き付きを防止することができる。
【０１６２】
また、以上のような実施例１によれば、映像の表示位置を移動させることにより画面の焼き付きを防止させる映像表示制御装置１００において、映像を構成する各画素における表示レベルをそれらの周辺画素における表示レベルへと複数ステップをかけて変化させることにより、１ステップでの映像の移動量が見た目では１画素未満となるように映像の表示位置を移動させるので、映像を一定期間表示したときに発生する焼き付きを防止することができるとともに、視覚的に目立つことなくスムーズに映像を移動させることができる。
【０１６３】
しかも、映像を１画素分移動させる過程において、移動前の時点での映像の見た目の平均移動速度は、前記映像が半画素分移動した時点での平均移動速度と異なるので、ぼけさせることなくスムーズに映像を移動させ、焼き付きを防止することができる。
【０１６４】
また、以上のような実施例１によれば、映像を構成する各画素における表示レベルをそれらの周辺画素における表示レベルへと複数ステップをかけて変化させることにより、１ステップでの映像の移動量が見た目では１画素未満となるように映像の表示位置を移動させて画面の焼き付きを防止させる映像表示制御方法において、映像を１画素分移動させるのに要する時間をＴとすると、映像を１画素分移動させる過程は、各画素における表示レベルが移動前のレベルである時点から（Ｔ／３）だけ時間が経過するまでの第１の工程と、前記第１の工程の終わりから（Ｔ／３）だけ時間が経過するまでの第２の工程と、前記第２の工程の終わりから（Ｔ／３）だけ時間が経過して各画素における表示レベルが移動後のレベルとなるまでの第３の工程とを有し、前記第１の工程における各画素の見た目の移動量と、前記第３の工程における各画素の見た目の移動量と、のうちの少なくとも何れか一方の移動量は、前記第２の工程における各画素の見た目の移動量よりも短いので、映像がぼけた状態となりがちな第２工程では速やかに表示レベルが変化するようにできるので、ぼけさせることなくスムーズに映像を移動させ、焼き付きを防止することができる。
【実施例２】
【０１６５】
上記の実施例１では、映像の表示位置を移動させることにより画面の焼き付きを防止させるに際し、所定のステップ数（例えば、２５６ステップ）で所定時間（例えば、６０秒）をかけて１画素分移動させる過程で、各ステップの時間の長さは一定（例えば、（６０／２５６）秒）であるが、映像を構成する各画素とそれらの隣設画素との合成比率の変化割合が図６及び図１３に示すように時間経過に伴い徐々に変化する例について説明したが、実施例２では、映像を構成する各画素とそれらの隣設画素との合成比率の変化割合は一定であるが、各ステップの時間の長さが徐々に変化する例について説明する。
【０１６６】
図１４は実施例２に係る映像表示制御装置２００を備える表示装置２５０の構成を示すブロック図である。
【０１６７】
図１４に示す表示装置２５０は、以下に説明する点でのみ図５に示す表示装置１５０と相違し、その他の点では表示装置１５０と同様に構成されているため、表示装置２５０の構成要素のうち表示装置１５０におけるのと同様の構成要素には同一の符号を付し、その説明を省略する。
【０１６８】
実施例２に係る映像表示制御装置２００は、その重心位置演算部７の動作と映像移動情報記憶部６の記憶内容とが、実施例１に係る映像表示制御装置１００（図５）と相違し、その他の点は映像表示制御装置１００と同様である。
【０１６９】
映像表示制御装置２００の映像移動情報記憶部６は、例えば、映像を１画素分移動させるのに要する時間の長さ（例えば、６０秒）を示す情報（１画素分移動所要時間情報）と、映像を１画素分移動させるのに要するステップ数（例えば、２５６ステップ）を示す情報（１画素分移動所要ステップ数情報）と、各ステップの時間の長さの演算に用いられる関数（図１５）を示す情報（ステップ長演算用関数情報）と、各時間毎の映像の移動方向を示す情報（移動方向情報）と、ステップの切り替わり毎の合成比率の変化割合、すなわち乗算係数「ｋ」、「ｐ」の変化割合を示す情報（合成比率変化割合情報）と、を記憶保持し、これら情報を重心位置演算部７に供給する。
【０１７０】
実施例２の場合、重心位置演算部７は、現在のステップが何ステップ目であるかの認識は、例えば、映像を１画素分移動させる過程において、合成比率の演算を何回行ったかをカウントすることにより行うことができる。
【０１７１】
また、本実施例の場合、合成比率変化割合情報は、例えば、常に（１／２５６）で一定である。このため、実施例２の場合、映像を１画素分移動させる過程において、ステップが切り替わるたびに、ｋ、ｐの値が（１／２５６）ずつ減少して徐々に「１」から「０」に変化する。
【０１７２】
また、本実施例の場合、重心位置演算部７は、映像を１画素分移動させる過程に含まれる各ステップの時間の長さの演算を、映像移動情報記憶部６から供給されるステップ長演算用関数情報（例えば、図１５に示すようなグラフの関数）を用いて行う。
【０１７３】
すなわち、実施例２の場合、映像表示制御装置２００は、映像を１画素分移動させる過程に含まれる複数ステップにおける各ステップの時間の長さを徐々に変化させるステップ長変化手段としての重心位置演算部７を備えている。
【０１７４】
重心位置演算部７がステップ長演算用関数情報を用いて、随時（ステップの切り替わり毎に）各ステップの時間の長さを演算する結果、各ステップの時間の長さ（Δｔ）は、図１５に示すように、映像を１画素分移動させる過程における初期では比較的長く、中期では比較的短く、後期では比較的長くなる。
【０１７５】
つまり、映像を１画素分移動させる過程において、ｋ、ｐの値が１から２／３までの期間を第１表示期間、ｋ、ｐの値が２／３から１／３までの期間を第２表示期間、ｋ、ｐの値が１／３から０までの期間を第３表示期間とすると、重心位置演算部７は、第１及び第３表示期間ではステップの時間の長さを比較的長くする一方で、第２表示期間ではステップの時間の長さを比較的短くすることができる。
【０１７６】
換言すれば、映像を１画素分移動させることによる各画素の表示レベルの変化量をＸとし、映像を１画素分移動させる過程で、各画素における表示レベルが移動前のレベルから（Ｘ／３）だけ変化するまでの期間を第１表示期間、各画素における表示レベルが第１表示期間の終わりから（Ｘ／３）だけ変化するまでの期間を第２表示期間、各画素における表示レベルが第２表示期間の終わりから（Ｘ／３）だけ変化して移動後のレベルとなるまでの期間を第３表示期間とすると、第１及び第３表示期間ではステップの時間の長さを比較的長くする一方で、第２表示期間ではステップの時間の長さを比較的短くする。
【０１７７】
従って、実施例２の場合も、第１表示期間の長さＴ１＞第２表示期間の長さＴ２となり、且つ、第２表示期間の長さＴ２＜第３表示期間の長さＴ３となるように映像を移動させることができる。
【０１７８】
よって、映像がぼけた状態となりがちな第２表示期間の長Ｔ２さを短くし、映像を１画素分移動させる過程の全体としては、映像がぼけてしまうことを極力抑制することができる。
【０１７９】
上記においては、ステップ長の演算用に、例えば図１５に示すように、時間経過に伴いステップ長の長さが直線的に変化する例を説明したが、この例に限らず、例えば、図１６或いは図１７に示すように、時間経過に伴いステップ長の長さが曲線的に変化するようにしても良い。
【０１８０】
以上のような実施例２によれば、実施例１と同様の効果が得られる。
【０１８１】
なお、上記の実施例１及び２では、映像の移動が水平方向での往復移動である例を説明したが、垂直方向に移動させても良いし、或いは斜め方向に移動させても良い。
【０１８２】
ただし、映像を斜め方向に移動させる場合には、映像がぼけてしまう可能性があるので、図１８乃至図２１に示すように、水平方向への移動と垂直方向への移動とを分けて（別の時間に）行うことが好ましい。すなわち、例えば、垂直方向の移動（図１８→図１９）、水平方向の移動（図１９→図２０）及び垂直方向の移動（図２０→図２１）をこの順に行うことにより、映像がぼけてしまうことを防止できる。
【０１８３】
なお、上記の各実施例では、映像表示制御装置１００及び２００による処理の一部を図９及び図１２に示すような論理回路を用いて実行する例を説明したが、それらの処理の全てをプログラム処理により実行することも可能である。
【図面の簡単な説明】
【０１８４】
【図１】特許文献１に開示された焼き付き防止技術を説明するための図である。
【図２】特許文献５に開示された焼き付き防止技術を説明するための図である。
【図３】特許文献５に開示された焼き付き防止技術の問題点を説明するための図である。
【図４】実施形態に係る映像表示制御方法を説明するための図である。
【図５】実施例１に係る映像表示制御装置の構成を示すブロック図である。
【図６】映像の合成比率の経時変化の一例を示す図である。
【図７】右方向への映像の移動と重心移動を説明するための図である。
【図８】右方向へ映像が移動する際の、一の画素における重心移動を説明するための図である。
【図９】右方向へ映像が移動する際の映像表示制御装置の動作を説明するための図である。
【図１０】左方向への映像の移動と重心移動を説明するための図である。
【図１１】左方向へ映像が移動する際の、一の画素における重心移動を説明するための図である。
【図１２】左方向へ映像が移動する際の、表示位置制御部の動作を説明するための図である。
【図１３】映像の合成比率の経時変化の他の一例を示す図である。
【図１４】実施例２に係る映像表示制御装置の構成を示すブロック図である。
【図１５】ステップの時間の長さの経時変化の一例を示す図である。
【図１６】ステップの時間の長さの経時変化の他の一例を示す図である。
【図１７】ステップの時間の長さの経時変化の更に他の一例を示す図である。
【図１８】映像の水平方向の移動と垂直方向の移動とを別の時間に行う場合の映像の移動の例を示す一連の図である。
【図１９】映像の水平方向の移動と垂直方向の移動とを別の時間に行う場合の映像の移動の例を示す一連の図である。
【図２０】映像の水平方向の移動と垂直方向の移動とを別の時間に行う場合の映像の移動の例を示す一連の図である。
【図２１】映像の水平方向の移動と垂直方向の移動とを別の時間に行う場合の映像の移動の例を示す一連の図である。
【符号の説明】
【０１８５】
１００    映像表示制御装置
３        合成部（合成手段、映像移動制御手段を構成する）
７        重心位置演算部（合成比率変化手段、ステップ長変化手段、映像移動制御手段を構成する）
１５０    表示装置
２００    映像表示制御装置
２５０    表示装置
【図１】
2007034222.tif 000003
【図２】
2007034222.tif 000004
【図３】
2007034222.tif 000005
【図４】
2007034222.tif 000006
【図５】
2007034222.tif 000007
【図６】
2007034222.tif 000008
【図７】
2007034222.tif 000009
【図８】
2007034222.tif 000010
【図９】
2007034222.tif 000011
【図１０】
2007034222.tif 000012
【図１１】
2007034222.tif 000013
【図１２】
2007034222.tif 000014
【図１３】
2007034222.tif 000015
【図１４】
2007034222.tif 000016
【図１５】
2007034222.tif 000017
【図１６】
2007034222.tif 000018
【図１７】
2007034222.tif 000019
【図１８】
2007034222.tif 000020
【図１９】
2007034222.tif 000021
【図２０】
2007034222.tif 000022
【図２１】
2007034222.tif 000023